Podtech/llm-jp-corpus-v4-ja_patent huggingface dataset:
【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  ビデオソース機器に関する方法において、
その間にビデオシンク機器にマルチフレーム・ビデオコンテンツを送信する送信セッション用のセッションキーを生成するステップと、
少なくとも該セッションキーを用いて一連のいくつかのフレームキーを、その各フレームキーが当該送信セッションの各フレームに固有となるように生成するステップと、
該各フレームをそれぞれ該ビデオシンク機器に送信する前に、それぞれ対応するフレームキーを用いて暗号化するステップと、
からなる方法。
【請求項２】  ビデオソース機器に関する方法において、
マルチフレーム・ビデオコンテンツの各フレーム用のフレームキーをそれらの対応する各フレームにそれぞれ固有となるように、該マルチフレーム・ビデオコンテンツの送信セッション用に生成されたセッションキーに基づいて生成するステップと、
対応する該各フレーム用でそれぞれ該各フレームのビデオコンテンツを暗号化するために使用する疑似ランダムビット列を、少なくとも該各フレームに対応するフレームキーを用いて生成するステップと、
からなる方法。
【請求項３】  ビデオソース機器に関する方法において、
ビデオシンク機器に送信しようとするマルチフレーム・ビデオコンテンツの各垂直帰線消去期間に各フレーム用のフレームキーを生成するステップと、
該マルチフレーム・ビデオコンテンツの各フレーム用でそれらの各特定フレームを暗号化するための疑似ランダムビット列を、少なくとも各フレームに対応する該フレームキーを用いて生成するステップであって、対応する各フレームの水平帰線消去期間における該対応するフレームキーの連続修正を含むステップと、からなる方法。
【請求項４】  その間にビデオシンク機器にマルチフレーム・ビデオコンテンツを送信する送信セッション用のセッションキーを生成し、かつ該セッションキーを用いて、該マルチフレーム・ビデオコンテンツの対応するフレーム用の一連のいくつかのフレームキーをそれらの対応する各フレームにそれぞれ固有となるように生成するブロック暗号器と、
該ブロック暗号器に接続されていて、該マルチフレーム・ビデオコンテンツの各フレーム用でそれらの各特定フレームを送信のために暗号化するための疑似ランダムビット列を、少なくとも各フレームに対応する該フレームキーを用いて生成するストリーム暗号器と、からなる装置。
【請求項５】  ビデオシンク機器に関する方法において、
その間にビデオソース機器からマルチフレーム・ビデオコンテンツを受信する受信セッション用の該受信セッションの間のみ有効なセッションキーを生成するステップと、
少なくとも該セッションキーを用いて一連のいくつかのフレームキーを、その各フレームキーが当該受信セッションの各フレームに固有となるように生成するステップと、
該各フレームを対応する該フレームキーを解読キーとして用いて解読することにより該マルチフレーム・ビデオコンテンツを再生するステップと、
からなる方法。
【請求項６】  ビデオシンク機器に関する方法において、
ビデオソース機器から受信したマルチフレーム・ビデオコンテンツの各フレーム用で該各フレームに固有のフレームキーを生成するステップと、
対応する各フレーム用でそれぞれ該各フレームのビデオコンテンツを解読するために使用する疑似ランダムビット列を、少なくとも該各フレームに対応するフレームキーを用いて生成するステップと、
からなる方法。
【請求項７】  ビデオシンク機器に関する方法において、
ビデオソース機器から受信しようとするマルチフレーム・ビデオコンテンツの各垂直帰線消去期間に各フレーム用のフレームキーを生成するステップと、
該マルチフレーム・ビデオコンテンツの各フレーム用でそれら各特定フレームを解読するための疑似ランダムビット列を、少なくとも各フレームに対応する該フレームキーおよび疑似乱数を用いて生成するステップであって、対応する各フレームの水平帰線消去期間における対応する該フレームキーの連続修正を含むステップと、
からなる方法。
【請求項８】  その間にビデオソース機器からマルチフレーム・ビデオコンテンツを受信する受信セッション用のセッションキーを生成し、かつ該セッションキーを用いて、該マルチフレーム・ビデオコンテンツの対応するフレーム用の一連のいくつかのフレームキーをそれらの対応する各フレームにそれぞれ固有となるように生成するブロック解読器と、
該ブロック解読器に接続されていて、該マルチフレーム・ビデオコンテンツの各フレーム用でそれらの各特定フレームを解読するための疑似ランダムビット列を、少なくとも各フレームに対応する該フレームキーを用いて生成するストリーム解読器と、
からなる装置。
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
直列に配置された少なくとも３つの暗号化／復号化モジュールによって実行される方法であって、各中間および最終の暗号化／復号化モジュールが、直前の暗号化／復号化モジュールがその暗号化／復号化動作を終了する前に暗号化／復号化動作を開始し、少なくとも１つの暗号化／復号化モジュールは、秘密キーおよび公開キーを含む非対称キーを使用した、一種の暗号化／解読アルゴリズムで動作する、暗号化および復号化方法。
【請求項２】
前記各中間および最終の復号化モジュールは、前記直前の復号化モジュールから復号処理の結果の一部を受け取ると直ちに復号化動作を開始する、請求項１に記載の方法。
【請求項３】
前記各中間および最終の暗号化モジュールは、前記直前の暗号化モジュールから暗号処理の結果の一部を受け取ると直ちに暗号化動作を開始する、請求項１に記載の方法。
【請求項４】
三つのモジュールにより実行され、その中央モジュールが、シークレットの対称キーで動作することを特徴とする請求項１に記載の方法。
【請求項５】
暗号化に関する第１モジュールと最終モジュールと、逆にされた順序における復号化に関する前記最終モジュールと前記第１モジュールは、秘密キーおよび公開キーを含んだ非対称キーを使用するアルゴリズムで動作することを特徴とする請求項４に記載の方法。
【請求項６】
前記第１モジュールと最終モジュールが、暗号化のために秘密キーを使用し、復号化のために公開キーを使用することを特徴とする請求項５に記載の方法。
【請求項７】
前記第１モジュールと最終モジュールが、同じセットの秘密キーと公開キーを使用することを特徴とする請求項６に記載の方法。
【請求項８】
前記第１モジュールと最終モジュールが、異なるセットの秘密キーと公開キーを使用することを特徴とする請求項６に記載の方法。
【請求項９】
前記最終モジュールは、暗号化中に前記公開キーを使用し、前記第１モジュールは、復号化中に前記秘密キーを使用することを特徴とする請求項５に記載の方法。
【請求項１０】
三つの暗号化／復号化モジュールにより実行され、そのすべてのモジュールが非対称キーで実行されることを特徴とする請求項１に記載の方法。
【請求項１１】
直列に配置された複数の復号化モジュールによって実行される、暗号化／復号化プロセスのセキュリティを改善する方法であって、
各中間および最終の暗号化／復号化モジュールに、第１および各中間の暗号化／復号化モジュールからその暗号化／復号化動作の一部の結果を供給するステップと、
前記各中間および最終の暗号化／復号化モジュールにおいて、直前の暗号化／復号化モジュールの結果の一部利用可能になった際、その暗号化／復号化動作を終了する前に、暗号化／復号化動作を開始するステップと、
前記暗号化／復号化モジュールのうちの少なくとも１つにおける前記暗号化／復号化プロセスにおいて、秘密キーおよび公開キーを含む非対称キーを使用するステップと、を含む、方法。
【請求項１２】
前記各中間および最終の復号化モジュールは、前記直前の復号化モジュールの復号処理からの部分的に利用可能な結果を受け取ると直ちに復号化動作を開始する、請求項１１に記載の方法。
【請求項１３】
前記各中間および最終の暗号化モジュールは、前記直前の暗号化モジュールの暗号処理からの部分的に利用可能な結果を受け取ると直ちに暗号化動作を開始する、請求項１１に記載の方法。
【請求項１４】
三つのモジュールを有しており、
中央モジュールによって実行される前記暗号化／復号化動作において、シークレットの対称キーを使用するステップをさらに含む、請求項１１に記載の方法。
【請求項１５】
暗号化に関する第１モジュールと最終モジュールと、逆にされた順序における復号化に関する前記最終モジュールと前記第１モジュールは、秘密キーおよび公開キーを含んだ非対称キーを使用するアルゴリズムで動作することを特徴とする請求項１４に記載の方法。
【請求項１６】
前記第１モジュールと最終モジュールが、暗号化のために前記秘密キーを使用し、復号化のために前記公開キーを使用することを特徴とする請求項１５に記載の方法。
【請求項１７】
前記第１モジュールと最終モジュールが、同じセットの秘密キーと公開キーを使用することを特徴とする請求項１６に記載の方法。
【請求項１８】
前記第１モジュールと最終モジュールが、異なるセットの秘密キーと公開キーを使用することを特徴とする請求項１６に記載の方法。
【請求項１９】
前記最終モジュールは、暗号化中に前記公開キーを使用し、前記第１モジュールは、復号化中に前記秘密キーを使用することを特徴とする請求項１５に記載の方法。
【請求項２０】
三つの暗号化／復号化モジュールを含み、
前記三つの暗号化／復号化モジュールの暗号化／復号化プロセスにおいて非対称キーを使用するステップをさらに含む、請求項１１に記載の方法。
【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  第１及び第２送信ダイバーシティアンテナから送信するための第１及び第２無線周波数ダイバーシティ信号を有する送信器によって生成される、無線通信システムにおける直交送信ダイバーシティ信号の品質を測定するための方法であって、
前記第１及び第２無線周波数ダイバーシティ信号の和を表す無線周波数サンプル信号を生成する段階と、
それぞれ前記第１及び第２無線周波数ダイバーシティ信号に対応する第１及び第２成分を有するダウンコンバート処理された信号を生成するために、前記無線周波数サンプル信号をダウンコンバート処理する段階と、
前記第１成分から、前記第１無線周波数ダイバーシティ信号の第１時間基準を再生する段階と、
前記第１時間基準を用いて、前記第１及び第２無線周波数ダイバーシティ信号間の遅延差を示す前記第２成分の特性を測定する段階と、を含むことを特徴とする方法。
【請求項２】  請求項１に記載の直交送信ダイバーシティ信号の品質を測定するための方法であって、前記第１及び第２無線周波数ダイバーシティ信号間の遅延差を示す前記第２成分の特性を測定する前記段階は更に、前記第２無線周波数ダイバーシティ信号に関連付けられ又前記第１時間基準を用いて生成される拡散符号を用いて前記ダウンコンバート信号を逆拡散し、前記第１及び第２無線周波数ダイバーシティ信号間の遅延差を示す直交性基準信号を生成する段階を含むことを特徴とする方法。
【請求項３】  請求項１に記載の直交送信ダイバーシティ信号の品質を測定するための方法であって、前記第１及び第２無線周波数ダイバーシティ信号間の遅延差を示す前記第２成分の特性を測定する前記段階は更に、
前記第２成分から、前記第２無線周波数ダイバーシティ信号の第２時間基準を再生する段階と、
第１と第２時間基準の時間の比較を行う段階と、を含むことを特徴とする方法。
【請求項４】  請求項１に記載の直交送信ダイバーシティ信号の品質を測定するための方法であって、前記第１及び第２無線周波数ダイバーシティ信号の和を表す無線周波数サンプル信号を生成する前記段階は更に、
アンテナで、前記第１及び第２送信ダイバーシティアンテナから送信される信号を受信し、前記第１及び第２無線周波数ダイバーシティ信号の和を表す無線周波数サンプル信号を生成する段階を含むことを特徴とする方法。
【請求項５】  請求項１に記載の直交送信ダイバーシティ信号の品質を測定するための方法であって、更に、前記第１及び第２無線周波数ダイバーシティ信号間の遅延差を示す前記第２成分の測定された特性に応じて、前記第１及び第２無線周波数ダイバーシティ信号間の相対的な遅延を変更する段階を含むことを特徴とする方法。
【請求項６】  第１及び第２ダイバーシティアンテナから送信するための第１及び第２無線周波数ダイバーシティ信号を有する送信器によって生成される、無線通信システムにおける直交送信ダイバーシティ信号の品質を測定するためのシステムであって、
前記第１及び第２無線周波数ダイバーシティ信号の和を表す無線周波数サンプル信号を生成するための手段と、
それぞれ前記第１及び第２無線周波数ダイバーシティ信号に対応する第１及び第２成分を有するダウンコンバート処理された信号を生成するために、前記無線周波数サンプル信号をダウンコンバート処理するための手段と、
前記第１成分から、前記第１無線周波数ダイバーシティ信号の第１時間基準を再生する手段と、
前記第１時間基準を用いて、前記第１及び第２無線周波数ダイバーシティ信号間の遅延差を示す前記第２成分の特性を測定する手段と、を含むことを特徴とするシステム。
【請求項７】  請求項６に記載の直交送信ダイバーシティ信号の品質を測定するためのシステムであって、前記第１及び第２無線周波数ダイバーシティ信号間の遅延差を示す前記第２成分の特性を測定する前記手段は更に、前記第２無線周波数ダイバーシティ信号に関連付けられ又前記第１時間基準を用いて生成される拡散符号を用いて前記ダウンコンバート信号を逆拡散し、前記第１及び第２無線周波数ダイバーシティ信号間の遅延差を示す直交性基準信号を生成する手段を含むことを特徴とするシステム。
【請求項８】  請求項６に記載の直交送信ダイバーシティ信号の品質を測定するためのシステムであって、前記第１及び第２無線周波数ダイバーシティ信号間の遅延差を示す前記第２成分の特性を測定する前記手段は更に、
前記第２成分から、前記第２無線周波数ダイバーシティ信号の第２時間基準を再生する手段と、
第１と第２時間基準の時間の比較を行う手段と、を含むことを特徴とするシステム。
【請求項９】  請求項６に記載の直交送信ダイバーシティ信号の品質を測定するためのシステムであって、前記第１及び第２無線周波数ダイバーシティ信号の和を表す無線周波数サンプル信号を生成する前記手段は更に、
前記第１及び第２送信ダイバーシティアンテナから送信される信号を受信し、前記第１及び第２無線周波数ダイバーシティ信号の和を表す無線周波数サンプル信号を生成するアンテナを含むことを特徴とするシステム。
【請求項１０】  請求項６に記載の直交送信ダイバーシティ信号の品質を測定するためのシステムであって、更に、前記第１及び第２無線周波数ダイバーシティ信号間の遅延差を示す前記第２成分の測定された特性に応じて、前記第１及び第２無線周波数ダイバーシティ信号間の相対的な遅延を変更する手段を含むことを特徴とするシステム。
【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】  核酸アレイのハイブリダイゼーション情報の解析のための人工知能システムであって、
（１）少なくとも１つのユーザー設備と通信するウェブサーバーであって、このユーザー設備は、ハイブリダイゼーション情報を送受信し、データ解析をサポートし、セキュリティ機能とビジネス機能を提供するユーザー設備である、ウェブサーバーと、
（２）ハイブリダイゼーション・プロファイル、ハイブリダイゼーション・プロファイルと関連する臨床情報、および、ハイブリダイゼーション・プロファイルと関連する統計情報を記憶するデータベースサーバーと、
（３）ウェブサーバーとデータベースサーバーとの間での情報交換を行うアプリケーションサーバーと
からなる人工知能システム。
【請求項２】  前記のウェブサーバーは、さらに、製品情報、製品注文、会社情報、患者データベースの統計的概要、アプリケーションサーバーへの要求およびセキュリティの中のいずれかの機能を備えることを特徴とする請求項1に記載されたシステム。
【請求項３】  前記のデータベースサーバーは、さらに、チップIDのための遺伝パターンデータベース、患者の遺伝子パターンのデータベース、および、統計データの概要の中のいずれかの機能を備えることを特徴とする請求項1に記載されたシステム。
【請求項４】  前記のアプリケーションサーバーは、前記のデータベースのための少なくとも１つの問い合わせを作成し、ウェブサーバーにより受け取られたハイブリダイゼーション・パラメータとデータベースサーバーにより供給されるハイブリダイゼーション・パラメータとの間で少なくとも1つの統計的比較を行うことを特徴とする請求項1に記載されたシステム。
【請求項５】  前記のアプリケーションサーバーは、チップID遺伝パターンのためのデータベース問い合わせ、統計データ概要のデータベース問い合わせ、パターンマッチ統計処理および結果の出力の中のいずれかの機能を備えることを特徴とする請求項４に記載されたシステム。
【請求項６】  さらに、作業サーバーを備えることを特徴とする請求項１に記載されたシステム。
【請求項７】  前記の作業サーバーは、注文管理、請求書管理および注文処理過程追跡の中のいずれかの機能を備えることを特徴とする請求項６に記載されたシステム。
【請求項８】  前記のユーザー設備が、暗号化されたネットワーク接続を介してこの人口知能システムにリンクされることを特徴とする請求項１に記載されたシステム。
【請求項９】  前記のユーザー設備はリモートのユーザー設備であることを特徴とする請求項８記載されたシステム。
【請求項１０】  前記のユーザー設備はローカルのユーザー設備であることを特徴とする請求項８に記載されたシステム。
【請求項１１】  前記のユーザー設備は、病院、医院、研究施設、ビジネス組織およ非利益組織の中のいずれかであることを特徴とする請求項８に記載されたシステム。
【請求項１２】  前記のユーザー設備は、
（i）核酸アレイからハイブリダイゼーション信号を集める光学的スキャンシステムと、
（ii）光学的スキャンシステムからの光学的データを1組のハイブリダイゼーション・パラメータに変換する画像処理システムと、
（iii）ネットワークに接続されるコンピュータと、
（iv）データ関連情報を表示するユーザー・インターフェースと
を備えることを特徴とする請求項８に記載されたシステム。
【請求項１３】  前記のネットワークがインターネットであることを特徴とする請求項１２に記載されたシステム。
【請求項１４】  前記のユーザー・インタフェースは、データを操作する機能、データを検索する機能、データを解析する機能およびデータを表示する機能の中のいずれかの機能を備えることを特徴とする請求項１２に記載されたシステム。
【請求項１５】  前記のユーザー・インタフェースは、ユーザー情報、臨床サンプル情報、テスト情報、臨床テスト結果の報告書、Ｒ＆Ｄサンプル情報、チップ情報、生物薬剤チップの結果報告書、治療選択および請求書情報の中のいずれかの表示情報からなることを特徴とする請求項１４に記載されたシステム。
【請求項１６】  前記データ関連情報は、ハイブリダイゼーション情報、患者情報、統計情報、臨床情報、医学情報、診断情報、治療情報、生物学的情報、製品情報および会社情報の中のいずれかの機能を含むことを特徴とする請求項１２に記載されたシステム。
【請求項１７】  前記のユーザー設備は、さらに、遺伝子パターン処理、チップＩＤのためのパターンマッチの要求および報告書生成の中のいずれかの機能を含むことを特徴とする請求項１２に記載されたシステム。
【請求項１８】  前記のユーザー設備は、
（i）ネットワークにリンクされるコンピュータと、
（ii）データ関連情報を表示するユーザーインタフェースと
からなることを特徴とする請求項８に記載されたシステム。
【請求項１９】  前記のデータ関連情報は、ハイブリダイゼーション情報、患者情報、統計情報、臨床情報、医学情報、診断情報、治療情報、生物学的情報、製品情報および会社情報の中のいずれかの機能を含むことを特徴とする請求項１８に記載されたシステム。
【請求項２０】  少なくとも1つのリモートの位置と少なくとも１つの中央データ処理設備との間で共用される処理機能性に基くシステム・アーキテクチャを備えることを特徴とする請求項１に記載されたシステム。
【請求項２１】  （ii）核酸配列からハイブリダイゼーション情報を集め、
(iii）このハイブリダイゼーション情報を中央データ処理設備に送り、
(iv）前記のハイブリダイゼーション情報を解析してハイブリダイゼーション・プロファイルを生成し、
(v）ハイブリダイゼーション・プロファイルを、記憶されたハイブリダイゼーション・パラメータと比較して、解析されたデータを提供し、
(vi）人工知能を用いて前記の解析されたデータにより考えられる生理学的条件を決定する
生理学的条件の診断方法。
【請求項２２】  さらに、生理学的条件に基づく処理方法を提供することを特徴とする請求項２１に記載された方法。
【請求項２３】  （ii）プロテオミクス・チップから情報を集め、
(iii）この情報を中央データ処理装置に送り、
(iv）前記のハイブリダイゼーション情報を解析してハイブリダイゼーション・プロファイルを生成し、
(v）プロテオミクス・プロファイルを、記憶されたハイブリダイゼーション・パラメータと比較して、解析データを提供し、
(vi）人工知能の使用により前記の解析データにより考えられる生理学的条件を決定する
生理学的条件の診断方法。
【請求項２４】  さらに、生理的学条件に基づく処理方法を提供することを特徴とする請求項２３に記載された方法。
【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  各ページを有するドキュメントを、各ページを媒体用紙に印刷するためにフォーマッティングする方法であって、
前記ドキュメントの各ページをデータファイルに保存するステップと、
ユーザが定義した組付け記述ファイルを作成するステップと、
前記組付け記述ファイルに基づいて組付けプランを作成するステップと、
複数の位置を有する順序付けられたセットを作成するステップと、
前記ドキュメントの各ページを、ユーザが定義した読み順の順序付けられたセットの位置に割り当てるステップと、
ページの順序付けられたセットの位置を組付けプランに関連付けるステップであって、組付けプランにおける各ページのレイアウトは、媒体用紙への印刷用に構成されるステップと、を含む、
ドキュメントフォーマッティング方法。
【請求項２】  複数の組付け記述ファイルを作成し、複数の組付け記述ファイルに基づいて複数の異なる組付けプランを作成し、ページの順序付けられたセットの位置を複数の組付けプランに関連付けるステップを含む、請求項１に記載の方法。
【請求項３】  ドキュメントのページ、ページの読み順及び各ページを媒体用紙に印刷するためにドキュメントをフォーマッティングする組付けを含む組付け記述ファイルが保存されるコンピュータ読み取り可能媒体と、コンピュータメモリにあるコンピュータソフトウェアを含むコンピュータシステムであって、
前記組付け記述ファイルに基づく組付けプランを表す１つのソフトウェアオブジェクトと、
複数の位置を有する順序付けられたセットを表す１つのソフトウェアオブジェクトと、
前記ドキュメントの各ページを前記順序付けられたセットの位置に割り当てるためのコンピュータで実行可能な命令と、
前記順序付けられたセットの位置を前記組付けプランに関連付けるコンピュータで実行可能な命令であって、前記組付けプランにおける各ページのレイアウトが媒体用紙への印刷用に構成されている命令と、を含む、
コンピュータシステム。
【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  セキュア通信の方法において、上記方法は、
モデム独自の識別徴表を格納することのできるモデムを提供することを含み、
上記識別徴表はグラフィックデータを含み、
上記グラフィックデータは、クレジットカード、署名又は口座名義人のうちの少なくとも１つの画像を含み、
上記方法は、上記モデム内に格納され、識別徴表を通信回線に送信することのできる通信ソフトウェアを提供することを含み、
上記識別徴表は、上記モデムのプログラムメモリに関連づけられるメモリ内のモデムに格納され、
上記識別徴表は上記プログラムメモリが上書きされる場合にのみ書き込みが可能であるセキュア通信の方法。
【請求項２】  上記モデムは上記識別徴表を上記モデムと一体的に格納する請求項１記載のセキュア通信の方法。
【請求項３】  上記識別徴表は読み取り動作において上記モデムの処理回路によりアクセスが可能なビットを含み、
上記処理回路は上記ビットを上記ビットの通信回線上で送信する前に読み取る請求項２記載のセキュア通信の方法。
【請求項４】  上記ビットはメモリアレイ内に格納された請求項３記載のセキュア通信の方法。
【請求項５】  上記識別徴表を上記モデムの回路に永久に固定するためのプロセスを含む請求項１記載のセキュア通信の方法。
【請求項６】  上記永久に固定するためのプロセスは、ヒューズを飛ばすことを含む請求項５記載のセキュア通信の方法。
【請求項７】  上記識別徴表を上記通信回線上で上記識別徴表を送信する前に暗号化することをさらに含む請求項５記載のセキュア通信の方法。
【請求項８】  上記識別徴表は圧縮されたグラフィックデータとしてフォーマットされる請求項１記載のセキュア通信の方法。
【請求項９】  セキュア通信のモデムにおいて、
モデム動作のプログラム制御態様を格納するように適合化されるプログラムメモリと、
上記プログラムメモリに接続されたプロセッサとを備え、
上記プロセッサは、モデム動作の少なくとも１つの態様を制御するために、上記プログラムメモリに格納されるプログラムの少なくとも一部を実行し、
上記プログラムは、上記プロセッサに上記プログラムの制御下で上記モデム内に一体的に格納された識別徴表を読み取らせ、かつ上記識別徴表を上記モデムと通信するホストと通信するように適合化され、
上記識別徴表はグラフィックデータを含み、
上記グラフィックデータはクレジットカード番号を含む少なくとも１つのクレジットカードの画像を含み、
上記識別徴表は徴表メモリ内に格納され、上記徴表メモリはプログラムメモリが書き込まれる場合にのみ書き込みが可能であるセキュア通信のモデム。
【請求項１０】  セキュア通信のモデムにおいて、
モデム動作のプログラム制御態様を格納するように適合化されるプログラムメモリと、
上記プログラムメモリに接続されたプロセッサとを備え、
上記プロセッサは、モデム動作の少なくとも１つの態様を制御するために、上記プログラムメモリに格納されるプログラムの少なくとも一部を実行し、
上記プログラムは、上記プロセッサに上記プログラムの制御下で上記モデム内に一体的に格納された識別徴表を読み取らせ、かつ上記識別徴表を上記モデムと通信するホストと通信するように適合化され、
上記識別徴表はグラフィックデータを含み、
上記グラフィックデータはクレジットカード番号を含む少なくとも１つのクレジットカードの画像を含み、
上記識別徴表は上記モデム内に永久に格納されるセキュア通信のモデム。
【請求項１１】  上記識別情報を上記ホストに通信する前に上記識別情報を暗号化するための手段をさらに備えた請求項１０記載のモデム。
【請求項１２】  上記識別徴表は金融取引勘定の態様を識別する請求項１０記載のモデム。
【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  赤外線データポートを介して、演算装置に情報を送信しかつ上記演算装置から情報を受信する赤外線トランシーバと、
ブルートゥースインタフェースを介して、データシステムに情報を送信しかつ上記データシステムから情報を受信するブルートゥーストランシーバと、
上記赤外線トランシーバ及び上記ブルートゥーストランシーバに接続され、上記赤外線トランシーバから受信される情報を上記データシステムに転送するためにブルートゥースプロトコルフォーマットに変換し、かつ上記ブルートゥーストランシーバから受信される情報を上記赤外線データポートに転送するために赤外線フォーマットに変換するプロセッサとを備えたアダプタ。
【請求項２】  上記プロセッサにより変換される情報のための一時的な記憶装置を提供するバッファをさらに備えた請求項１記載のアダプタ。
【請求項３】  上記プロセッサに接続された電源をさらに備えた請求項１記載のアダプタ。
【請求項４】  上記赤外線トランシーバは、上記赤外線データポートに情報を送信するドライバ回路を含む請求項１記載のアダプタ。
【請求項５】  上記赤外線トランシーバは、上記赤外線データポートから情報を受信する受信回路を含む請求項１記載のアダプタ。
【請求項６】  ハウジングをさらに含む請求項１記載のアダプタ。
【請求項７】  ネットワークを用いて通信するときに、データシステムに情報を送信しかつ上記データシステムから情報を受信する赤外線データポートを含む演算装置と、
上記演算装置と上記データシステムとの間で情報を転送するアダプタとを備え、
上記アダプタは、
上記赤外線データポートに情報を送信しかつ上記赤外線データポートから情報を受信する赤外線トランシーバと、
上記データシステムに情報を送信しかつ上記データシステムから情報を受信するブルートゥーストランシーバと、
上記赤外線トランシーバ及び上記ブルートゥーストランシーバに接続され、上記赤外線トランシーバから受信される情報を上記データシステムに転送するためにブルートゥースプロトコルフォーマットに変換し、かつ上記ブルートゥーストランシーバから受信される情報を上記赤外線データポートに転送するために赤外線フォーマットに変換するプロセッサとを備えたシステム。
【請求項８】  上記演算装置は携帯用コンピュータである請求項７記載のシステム。
【請求項９】  上記アダプタは上記演算装置に物理的に接続された請求項７記載のシステム。
【請求項１０】  上記アダプタは上記演算装置と赤外線通信リンク上で通信するスタンドアロン型装置である請求項７記載のシステム。
【請求項１１】  上記アダプタは上記プロセッサにより変換される情報のための一時的な記憶装置を提供するバッファをさらに備えた請求項７記載のシステム。
【請求項１２】  上記アダプタは上記マイクロプロセッサに接続された電源をさらに備えた請求項７記載のシステム。
【請求項１３】  上記赤外線トランシーバは上記赤外線データポートに情報を送信するドライバ回路を含む請求項７記載のシステム。
【請求項１４】  上記赤外線トランシーバは上記赤外線データポートから情報を受信する受信回路を含む請求項７記載のシステム。
【請求項１５】  第１の赤外線データポートを介して、第１の演算装置に情報を送信しかつ上記第１の演算装置から情報を受信する第１の赤外線トランシーバと、
第２の赤外線データポートを介して、第２の演算装置に情報を送信しかつ上記第２の演算装置から情報を受信する第２の赤外線トランシーバと、
ブルートゥースインタフェースを介して、データシステムに情報を送信しかつ上記データシステムから情報を受信するブルートゥーストランシーバと、
上記第１及び第２の赤外線トランシーバ及び上記ブルートゥーストランシーバに接続され、上記第１及び第２の赤外線トランシーバから受信される情報を上記データシステムに転送するためにブルートゥースプロトコルフォーマットに変換し、かつ上記ブルートゥーストランシーバから受信される情報を上記赤外線データポートの少なくとも一方に転送するために赤外線フォーマットに変換するプロセッサとを備えたアダプタ。
【請求項１６】  演算装置をネットワークに無線接続するための方法であって、
赤外線通信リンク上のアダプタにおいてリモート演算装置から情報を受信することと、
上記情報を、プロセッサにおいて赤外線フォーマットからブルートゥースプロトコルフォーマットに変換することと、
上記情報をブルートゥースリンク上でネットワークと通信することを含む方法。
【請求項１７】  演算装置をネットワークに無線接続するための方法であって、
ブルートゥース通信リンク上のアダプタにおいて上記ネットワークから情報を受信することと、
上記情報を、プロセッサにおいてブルートゥースプロトコルフォーマットから赤外線信号に変換することと、
上記情報を赤外線通信リンク上で上記演算装置と通信することを含む方法。
【請求項１８】  上記アダプタは、一時的な情報記憶装置を提供するバッファをさらに備えた請求項１５記載のアダプタ。
【請求項１９】  赤外線データポートを有する携帯用演算装置と、
上記赤外線データポートに通信可能に接続されたＩＲ（赤外線）−ブルートゥースアダプタとを備え、
上記アダプタは、
上記赤外線データポートに情報を送信しかつ上記赤外線データポートから情報を受信する赤外線トランシーバと、
データシステムに情報を送信しかつ上記データシステムから情報を受信するブルートゥーストランシーバと、
上記赤外線トランシーバ及び上記ブルートゥーストランシーバに接続され、上記赤外線トランシーバから受信される情報を上記データシステムに転送するためにブルートゥースフォーマットに変換し、かつ上記ブルートゥーストランシーバから受信される情報を上記赤外線データポートに転送するために赤外線フォーマットに変換するプロセッサとを備え、
上記ＩＲ−ブルートゥースアダプタと通信可能に接続され、上記ＩＲ−ブルートゥースアダプタからブルートゥースプロトコル信号を受信しかつ上記信号をネットワークに送信するデータシステムを備えたシステム。
【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】
実世界の視界上に重ねられた表示情報視界を生成するための表示光学システムと、コンバイナと、実世界の視界とユーザの目との間に置かれた可変透過要素とからなる、等角的に整合された表示装置。
【請求項２】
実世界の視界とユーザの目との間に置かれた可変透過要素と、ユーザの視野内の実世界の視界上に重ねて表示される情報画像を生成するための表示光学システムとを含む、等角的に整合された表示装置。
【請求項３】
表示情報画像を有する等角的に整合された表示システム内に可変透過要素を設ける段階と、該システムのユーザの視野に入る実世界の光の明度と前記表示情報画像の明度との割合を変化させる段階とからなる、方法。
【請求項４】
等角的に整合された表示システムのユーザの視野に入る実世界の光の明度と表示情報画像の明度との割合を変化させる段階からなる、方法をコンピュータに実行させるための機械可読の命令を含む、機械可読媒体。
【請求項５】
ユーザの視野に表示画像を生成する段階と、前記ユーザの視野に実世界の視界と前記表示画像とを重ね合わせる段階と、前記ユーザの視野内の実世界の視界の明度を変化させる段階と、前記ユーザの視野内の前記実世界の視界の明度と前記表示画像の明度との割合を動的に制御する段階とからなる、等角的に整合された表示を操作する方法。
【請求項６】
生成された視界を表示する、透過率可変のディスプレイと、実世界の視界と前記生成された視界とを空間的に整合させる追跡モジュールと、前記ディスプレイを通る光の明度を制御するために、前記ディスプレイに機能的に接続された制御モジュールとからなる、等角的に整合された表示システム。
【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】  １つまたは複数のＩ／Ｏポートを介してシステム・メモリおよびＩ／Ｏコントローラに結合するように構成され、１つまたは複数のＩ／Ｏポートを介してコンピュータ・システムのメイン・メモリとの間でデータ転送を可能にする第１インターフェース・ユニットと、
アクセラレーテッド・グラフィックス・ポート（ＡＧＰ）バスを介して周辺装置との間でのデータ転送を可能にするためにバス制御信号およびアドレスを供給するアクセラレーテッド・グラフィックス・ポート（ＡＧＰ）ユニットと、
前記第１インターフェース・ユニットおよび前記ＡＧＰインターフェース・ユニットと結合され、コンピュータ・システムのメイン・メモリ内のページの物理的アドレスを含むグラフィックス・アドレス再配置デーブル（ＧＡＲＴ）、そしてＧＡＲＴ全体を含むスタティック・ランダム・アクセス・メモリ（ＳＲＡＭ）にアクセスすることによって、前記ＡＧＰバスで受け取ったインバウンドＡＧＰトランザクションに関連するグラフィックス・アドレスを変換するアドレス変換ユニットとを具備することを特徴とするグラフィックス拡張ブリッジ。
【請求項２】  １つまたは複数の入出力（Ｉ／Ｏ）ポートと、アクセラレーテッド・グラフィックス・ポート（ＡＧＰ）バスとの間でのバス・プロトコル・ブリッジング機能を提供し、ローカル・メモリ内に格納されたグラフィックス・アドレス再配置テーブル（ＧＡＲＴ）に基づいて、インバウンド・トランザクションに関連する仮想アドレスを、コンピュータ・システムのメイン・メモリ内の物理的アドレスに変換するように構成されたグラフィックス拡張ブリッジと、
グラフィックス拡張ブリッジに結合され、コンピュータ・システムのシステム・バスおよびメモリ・バスに結合するように構成され、グラフィックス拡張ブリッジのためにメイン・メモリとの間でのデータ転送を実行するように構成されたシステム・メモリおよびＩ／Ｏコントローラとを具備することを特徴とするチップセット。
【請求項３】  ローカルＩ／Ｏバスを介してＩ／Ｏトランザクションをブリッジで受け取るステップと、
Ｉ／Ｏトランザクションに関連するアドレスおよびオフセットを決定する方法と、
ブリッジに直接結合されたローカル・メモリ内に完全に格納されているアドレス変換テーブルからアドレスに基づいてエントリを取り出すステップと、
エントリおよびオフセットに基づいて、コンピュータ・システムのメイン・メモリ内の位置を識別する物理アドレスを形成するステップと、
から構成されることを特徴とするブリッジ内で入出力（Ｉ／Ｏ）トランザクションを変換する方法。
【請求項４】  ブリッジが、ローカルＩ／ＯバスでＩ／Ｏトランザクションを受け取るステップと、
Ｉ／Ｏトランザクションに関連するアドレスおよびオフセットを決定するステップと、
ブリッジに直接結合されたローカル・メモリ内に格納されているアドレス変換テーブルからアドレスに基づいてエントリを取り出すステップと、
エントリおよびオフセットに基づいて、コンピュータ・システムのメイン・メモリ内の位置を識別する物理アドレスを形成するステップと、
から構成されることを特徴とするブリッジ内で入出力（Ｉ／Ｏ）トランザクションを変換する方法。
【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】 光導波路ファイバであって、
中心線及び各々が相対屈折率、屈折率プロファイル、及び前記中心線に関して測定された内半径及び外半径を有する少なくとも２つのセグメントを有するコア領域と、
相対屈折率及び屈折率プロファイルを有して前記コア領域を接触しつつ取り囲むクラッド層と、を有し、
前記コア及びクラッドの屈折率プロファイルは、ある波長範囲内の波長を有する光を導波するように構成され、 前記少なくとも２つのセグメントの各々の相対屈折率は正であって当該相対屈折率の基準屈折率は前記クラッド層の平均屈折率であり、 前記少なくとも２つのセグメントの各々の相対屈折率、屈折率プロファイル及び内半径及び外半径は、導波路ファイバが１５３０ｎｍにおいて負の全分散、１５３０ｎｍ乃至１５６５ｎｍの範囲に亘って正の分散傾斜及び１５９５ｎｍを超えるゼロ分散波長を有するように選ばれていることを特徴とする光導波路ファイバ。
【請求項２】 １６００ｎｍにおける全分散は−０．１ｐｓ／ｎｍ-ｋｍよりも小さく、１５３０ｎｍにおける全分散は−１５ｐｓ／ｎｍ-ｋｍよりも大きいことを特徴とする請求項１記載の光導波路。
【請求項３】 前記コア領域は２つのセグメントを含み、第１セグメントは前記中心線から始まって０．７５％乃至０．８５％の範囲の相対屈折率を有し、第２セグメントは０．０１％乃至０．０５％の範囲の相対屈折率を有することを特徴とする請求項１記載の光導波路。
【請求項４】 前記第１セグメントは２μｍ乃至３μｍの外半径を有し、前記第２セグメントは９μｍ乃至１０μｍの外半径を有することを特徴とする請求項３記載の光導波路。
【請求項５】 前記コア領域は３つのセグメントを含み、
第１セグメントは前記中心線から始まって０．６５％乃至１．２％の範囲の相対屈折率及び２μｍ乃至３．５μｍの範囲の外半径を有し、
第２セグメントは０乃至０．０８％の範囲の相対屈折率及び５μｍ乃至９μｍの外半径を有し、
第３セグメントは０．１％乃至０．３０％の範囲の相対屈折率及び５．５μｍ乃至１１μｍの外半径を有することを特徴とする請求項１記載の光導波路。
【請求項６】 前記第１セグメントの屈折率プロファイル形状は、２．０乃至２．５の範囲のα及び０．７２％乃至０．７８％の範囲の相対屈折率、及び２μｍ乃至３．５μｍの範囲の外半径４２を有するα−プロファイルであり、
前記第３セグメントのプロファイル形状は０．１５％乃至０．１９％の範囲の相対屈折率百分率を有する丸型ステップであり、前記第３セグメントは５．６μｍ乃至６．２μｍの範囲の内半径及び９μｍ乃至１０μｍの範囲の外半径を有し、前記第１セグメントは０．７０％乃至０．７６％の範囲の中心線相対屈折率を有することを特徴とする請求項５記載の光導波路。
【請求項７】 前記第１セグメントの屈折率プロファイル形状は０．９乃至１．１の範囲のαを有するα−プロファイルであり、前記第１セグメントは１乃至１．２の範囲の相対屈折率百分率及び２．８μｍ乃至３．２μｍの範囲の外半径を有し、
前記第２セグメントのプロファイル形状は０の相対屈折率百分率及び８．５μｍ乃至８．９μｍの範囲の外半径を有するステップであり、
前記第３セグメントのプロファイル形状は０．１５％乃至０．２０％の範囲の相対屈折率及び９．３μｍ乃至９．７μｍの範囲の外半径を有する丸型ステップであることを特徴とする請求項５記載の光導波路。
【請求項８】 前記コア領域は３つのセグメントを含み、 第１セグメントは前記中心線から始まり、０．７０乃至１．５の範囲のα、０．４０％乃至０．９０％の範囲の相対屈折率及び２．５μｍ乃至３．０μｍの範囲の外半径を有し、
第２セグメントは０乃至０．０４％の範囲の相対屈折率を有し、
第３セグメントは０．１７％乃至０．３０％の範囲の相対屈折率、５．５μｍ乃至８．５μｍの中心半径及び１μｍ乃至２．５μｍの幅を有することを特徴とする請求項５記載の光導波路。
【請求項９】 再生成器を有さずあるビットレート及びある長さを有する導波路ファイバ通信リンクであって、
予め選択された波長を有する光信号を提供するレーザー光源と、
予め選択された波長の光を受信する受信機と、
前記レーザー光源に光学的に結合されてレーザー光を受信する第１端部及び前記受信機に光学的に結合された第２端部を有する少なくとも１つの導波路ファイバ片と、を有し、
前記レーザー光源は正又は負にチャープされ、前記少なくとも１つの導波路ファイバ片の全分散は１５５０ｎｍにおいて当該レーザーチャープとは反対符号の全分散を有することを特徴とする導波路ファイバ通信リンク。
【請求項１０】 前記レーザーは正チャープされ、前記少なくとも１つの導波路ファイバ片の一部の全分散は負であることを特徴とする請求項９記載の導波路ファイバ通信リンク。
【請求項１１】 負の全分散を有する前記少なくとも１つの導波路ファイバ片の当該一部は、各々の相対屈折率は正であって当該相対屈折率の基準屈折率はクラッド層の平均屈折率である少なくとも２つのセグメントの屈折率プロファイルを有し、
前記少なくとも２つのセグメントのそれぞれの相対屈折率プロファイル及び内半径及び外半径は、１５３０ｎｍにおいて負の全分散、１５３０ｎｍ乃至１５６５ｎｍに亘って正の分散傾斜、及び１５９５ｎｍを超えるゼロ分散波長を有する導波路ファイバを提供するように選ばれていることを特徴とする請求項１０記載の導波路ファイバ通信リンク。
【請求項１２】 再生成器を含まずかつあるビットレートを有する導波路ファイバ通信リンクであって、
１２５０ｎｍ乃至１７００ｎｍの範囲から予め選択された１つ以上の波長で光信号を提供する送信機と、
１つ以上の予め選択された波長の光を受信する受信機と、
直列構成により互いに光学的に結合され、前記送信機に光学的に結合された第１端部及び前記受信機に光学的に結合された第２端部を有するリンクを形成する複数の導波路ファイバ片と、を有し、
前記送信機の光信号は正チャープされ、 前記複数の導波路ファイバ片は終端間分散を有し、当該複数の導波路ファイバ片の一部は正の終端間分散を有し、前記複数の導波路ファイバ片の残りの部分は負の終端間分散を有し、
前記リンクは前記複数の導波路ファイバ片のそれぞれの終端間分散の和である終端間分散を有し、前記リンクの前記終端間分散は予め選択された値未満であり、
前記複数の導波路ファイバ片の一部は負の終端間分散を有することを特徴とする導波路ファイバ通信リンク。
【手続補正書】
【提出日】平成19年8月13日(2007.8.13)
【手続補正１】
【補正対象書類名】明細書
【補正対象項目名】特許請求の範囲
【補正方法】変更
【補正の内容】
【特許請求の範囲】
【請求項１】
手書き情報を電子的に記録するためのシステムにおいて、
光学的に読み取り可能な位置符号化パターンを備えた製品と、
前記光学的に読み取り可能な位置符号化パターンに基づいて、前記製品上に書かれる情報の電子的象徴を生成するよう適合された第１の装置と、
前記光学的に読み取り可能な位置符号化パターンに基づいて、イレイサーを用いて前記製品から消される情報の電子的象徴を生成するよう適合された第２の装置と、
を備えたことを特徴とするシステム。
【請求項２】
前記製品が、書き込みボードである請求項１に記載のシステム。
【請求項３】
前記第１及び第２の装置のそれぞれが、
現在位置に関する前記製品上の位置符号化パターンを検出するよう適合された光感性検出器と、
前記現在位置に関する前記検出器により検出された前記位置符号化パターンに基づいて、位置情報を、少なくとも１つの外部ユニットに転送するよう適合された通信手段と、
を備える請求項１に記載のシステム。
【請求項４】
前記第１及び第２の装置のそれぞれが、前記検出器により検出された前記位置符号化パターンを解釈し、これを前記現在位置の座標対に変換するよう適合されたプロセッサを備え、
前記通信手段により転送される前記位置情報が、前記座標対を備える請求項３に記載のシステム。
【請求項５】
前記第１及び第２の装置のそれぞれが、更に、連続する現在位置に対する位置情報を記憶するメモリーを備える請求項２に記載のシステム。
【請求項６】
前記プロセッサが、少なくとも幾つかの前記連続する現在位置の座標対を、多角形のつながりに変換するよう適合されており、
前記通信手段により転送される前記位置情報が、前記多角形のつながりを備える請求項４に記載のシステム。
【請求項７】
前記製品の前記位置符号化パターンが、絶対位置符号化パターンの第１のサブセットを備え、
前記第１のサブセットが、仮想表面上の第１の座標エリア内の点の座標を符号化しており、前記仮想表面が、前記絶対位置符号化パターンが符号化する全ての点を備えており、
前記第１の座標エリアが、手書き情報の受け取り専用とされている請求項１に記載のシステム。
【請求項８】
少なくとも１つの位置が、前記手書き情報の電子的記録に関連して実行される機能専用のものである請求項１〜７の何れか１つに記載のシステム。
【請求項９】
前記少なくとも１つの位置が、前記絶対位置符号化パターンの第２のサブセットにより符号化されており、
該第２のサブセットは、前記機能専用である前記仮想表面上の第２の座標エリア内の少なくとも１つの点の座標を符号化している請求項７及び８に記載のシステム。
【請求項１０】
前記第１の装置が、更に、前記書き込みボードに書き込みを行なうペン用のホルダーを備える請求項１〜９の何れか１つに記載のシステム。
【請求項１１】
前記第１の装置が、前記書き込みボードに書き込みを行なうペンを備える請求項１〜９の何れか１つに記載のシステム。
【請求項１２】
前記第２の装置が、前記書き込みボードから情報を消すためのイレイサー用のホルダーを備える請求項１〜１１の何れか１つに記載のシステム。
【請求項１３】
前記第２の装置が、更に、前記書き込みボード上の消去を行なうイレイサーを備える請求項１〜１１の何れか１つに記載のシステム。
【請求項１４】
前記書き込みボード上に書かれ又はここから消された前記情報の電子的象徴に基づいて、前記書き込みボード上の情報を、スクリーン上に表示するためのソフトウェアを更に備える請求項１〜１３の何れか１つに記載のシステム。
【請求項１５】
前記前記書き込みボード上の書かれている又は消されている情報に関連して、スピーチを記録するマイクロフォンと、前記記録したスピーチを、前記外部ユニットへ転送する手段とを更に備える請求項２〜１４の何れか１つに記載のシステム。
【請求項１６】
前記書き込みボード上に補足情報を投影するよう適合されたプロジェクタを更に備える請求項１〜１５の何れか１つに記載のシステム。
【請求項１７】
前記プロジェクタは、第２の遠隔システムの第２の書き込みボード上に電子的に記録されている補足情報を表示するよう適合された請求項１６に記載のシステム。
【請求項１８】
前記第１及び第２の装置が、同一の装置である請求項１〜１７の何れか１つに記載のシステム。
【請求項１９】
手書き情報のための表面を備えた書き込みボードであって、
前記表面に、該表面上に書かれる情報の電子的象徴を生成するための光学的に読み取り可能な位置符号化パターンを備えたことを特徴とする書き込みボード。
【請求項２０】
ペンを用いて書き込みボード上に書かれる情報の、電子的象徴を生成する装置であって、
現在のペン位置に関し前記書き込みボード上の位置符号化パターンを検出するよう適合された光感性検出器と、
前記現在のペン位置に関して前記検出器により検出された前記位置符号化パターンに基づく位置情報を、少なくとも１つの外部ユニットへ転送するよう適合された通信手段と、
を備えたことを特徴とする装置。
【請求項２１】
前記光感性検出器が、また、現在のイレイサー位置に関し前記書き込みボード上の前記位置符号化パターンを検出するよう適合されており、
前記通信手段が、また、前記現在のイレイサー位置に関して前記検出器により検出された前記位置符号化パターンに基づく位置情報を、前記少なくとも１つの外部ユニットへ転送するよう適合されている請求項２０に記載の装置。
【請求項２２】
前記現在のペン位置に関して前記書き込みボード上の前記位置符号化パターンを検出する第１のモードと、前記現在のイレイサー位置に関して前記書き込みボード上の前記位置符号化パターンを検出する第２のモードとの間で前記装置を切り替えるためのスイッチを更に備える請求項２１に記載の装置。
【請求項２３】
現在のイレイサー位置に関し前記書き込みボード上の位置符号化パターンを検出するよう適合された第２の光感性検出器を更に備えた請求項２０に記載の装置。
【請求項２４】
イレイサーを用いて書き込みボードから消される情報の、電子的象徴を生成する装置であって、
現在のイレイサー位置に関し前記書き込みボード上の位置符号化パターンを検出するよう適合された光感性検出器と、
前記現在のイレイサー位置に関して前記検出器により検出された前記位置符号化パターンに基づく位置情報を、少なくとも１つの外部ユニットへ転送するよう適合された通信手段と、
を備えたことを特徴とする装置。
【手続補正書】
【提出日】平成19年7月20日(2007.7.20)
【手続補正１】
【補正対象書類名】明細書
【補正対象項目名】請求項６
【補正方法】変更
【補正の内容】
【請求項６】  急速応答装置が光学高温計を含み、そして実際の温度の測定が、触媒床の上流表面から発光される光強度を測定することにより実行される請求項１〜５のいずれか１項に記載の方法。